(57)【要約】      （修正有）【課題】移動通信端末装置の待ち画面情報により画面情報をディスプレイする制御機能を提供する。【解決手段】（ａ）ユーザがコンテンツ情報を設定する段階と、（ｂ）サービス提供サーバがコンテンツ情報をカテゴリ化してスタックを割り当てる段階と、（ｃ）コンテンツ情報に対応する待ち画面情報がプッシュされる段階と、（ｄ）ユーザが詳細コンテンツ情報を要請し、該要請されたコンテンツ情報を送信される段階と、（ｅ）移動通信端末装置に既に設定されている画面構成に応じてコンテンツ情報がディスプレイされる段階と、を含み、前記（ｃ）段階のコンテンツ情報は、所定のテンプレート構成に応じてディスプレイされる。【選択図】図５
2009140509.tif 000002
【特許請求の範囲】
【請求項１】
移動通信端末装置と、コンテンツ情報を提供する待ち画面制御システムとを含む移動通信システムにおいて移動通信端末装置が待ち画面で受信されたコンテンツ情報を制御する方法であって、
前記移動通信端末装置は、
ユーザにより予め設定された待ち画面情報によるデータ構成情報を管理するコンフィギュレーション・マネージャ（Configuration Manager）と、
前記待ち画面情報に対するプッシュ・データ（Push Data）又はプル・データ（Pull Data）の提供を受けて、決められた形式に合わせてディスプレイできるようにするモジュールであるデータビューア（Data Viewer）と、
テキスト及びイメージのディスプレイ、ユーザ設定のショートカットアイコンのディスプレイ、ナビゲーションフォーカス（Navigation Focus）処理、ポップアップ処理を司り、前記待ち画面の各エリアを構成するデータをディスプレイするように制御するディスプレイマネージャ（Display Manager）と、
各種のイベント処理を司るイベント・ハンドラー（Event Handler）と、
前記待ち画面制御システムから受信されたプッシュ・データ又は前記プル・データを保存するデータストーリッジ（Data Storage）と、
前記待ち画面制御システムからプッシュ・データを受信して前記データストーリッジに保存し、待ち画面に表示するプッシュ・データ・マネージャ（Push Data Manager）と、
ユーザからプル・データ要請命令を受信すると、前記待ち画面システムに要請してプル・データを受信した後、前記データストーリッジに保存し、必要に応じてこれを待ち画面に表示するプル・データ・マネージャ（Pull Data Manager）と、
前記待ち画面制御システムと通信するデータ・インタフェース・モジュール（Data Interface Module）とを含み、
（ａ）前記移動通信端末装置がユーザからサービスコンテンツ情報の設定又は選択命令が入力されると、前記コンテンツ情報を前記待ち画面制御システムに提供する段階と、
（ｂ）前記待ち画面制御システムは、コンテンツ情報プロバイダ側と連動されており、前記コンテンツ情報プロバイダから受信されたマルチメディア情報をサーバ内でコンテンツ別にカテゴリ化した後、前記移動通信端末装置にプッシュ方式又はプル方式を用いて伝達するためのチャンネル及びスタックを割り当てる段階と、
（ｃ）前記サービスサーバから前記ユーザにより設定又は選択されたコンテンツ情報に該当する待ち画面情報がプッシュ又はプルされ、該プッシュ又はプルされた情報が前記データビューアによりディスプレイされる段階と、
（ｄ）前記待ち画面にディスプレイされた画面で前記ユーザからプッシュ済み又はプル済みコンテンツ情報のうち所望のコンテンツ情報の詳細の要求を受けると、該要求されたコンテンツ情報を前記待ち画面制御システムに送信して前記所望のコンテンツの詳細情報を受信する段階と、
（ｅ）前記（ｄ）段階で前記受信されたコンテンツの詳細情報は前記データストーリッジから読み込み、移動通信端末装置に既に設定されている画面構成に応じてコンテンツ情報がディスプレイされる段階と、を含み、
前記（ｃ）段階の待ち画面にディスプレイされるコンテンツ情報は、所定のテンプレート構成に応じてディスプレイされ、
前記待ち画面は第１エリアと第２エリアに区画された画面を有し、
前記第１エリアは区画された画面としてディスプレイされ、前記区画されたそれぞれの画面には、該当コンテンツ情報を含むマルチメディアの形でディスプレイされるディスプレイモードが提供され、
前記第２エリアには、前記第１エリアにディスプレイされたコンテンツ情報に対応するメニュー又は移動通信端末装置の内部リソースを実行したり、仮想マシン（ＶＭ）アプリケーションの実行及び無線インターネットサイトへの接続を行ったりするためのショートカットがアイコンに形で与えられることを特徴とする移動通信端末装置においての待ち画面のリソース制御及び運用方法。
【請求項２】
移動通信端末装置と、コンテンツ情報を提供する待ち画面制御システムとを含む移動通信システムにおいて移動通信端末装置が待ち画面で受信されたコンテンツ情報を制御する方法であって、
前記移動通信端末装置は、
ユーザにより予め設定された待ち画面情報によるデータ構成情報を管理するコンフィギュレーション・マネージャ（Configuration Manager）と、
前記待ち画面情報に対するプッシュ・データ（Push Data）又はプル・データ（Pull Data）の提供を受けて、決められた形式に合わせてディスプレイできるようにするモジュールであるデータビューア（Data Viewer）と、
テキスト及びイメージのディスプレイ、ユーザ設定のショートカットアイコンのディスプレイ、ナビゲーションフォーカス（Navigation Focus）処理、ポップアップ処理を司り、前記待ち画面の各エリアを構成するデータをディスプレイするように制御するディスプレイマネージャ（Display Manager）と、
各種のイベント処理を司るイベント・ハンドラー（Event Handler）と、
前記待ち画面制御システムから受信されたプッシュ・データ又は前記プル・データを保存するデータストーリッジ（Data Storage）と、
前記待ち画面制御システムからプッシュ・データを受信して前記データストーリッジに保存し、待ち画面に表示するプッシュ・データ・マネージャ（Push Data Manager）と、
ユーザからプル・データ要請命令を受信すると、前記待ち画面システムに要請してプル・データを受信した後、前記データストーリッジに保存し、必要に応じてこれを待ち画面に表示するプル・データ・マネージャ（Pull Data Manager）と、
前記待ち画面制御システムと通信するデータ・インタフェース・モジュール（Data Interface Module）とを含み、
（ａ）前記移動通信端末装置がユーザからサービスコンテンツ情報の設定又は選択命令が入力されると、前記コンテンツ情報を前記待ち画面制御システムに提供する段階と、
（ｂ）前記待ち画面制御システムは、コンテンツ情報プロバイダ側と連動されており、前記コンテンツ情報プロバイダから受信されたマルチメディア情報をサーバ内でコンテンツ別にカテゴリ化した後、前記移動通信端末装置にプッシュ方式又はプル方式を用いて伝達するためのチャンネル及びスタックを割り当てる段階と、
（ｃ）前記サービスサーバから前記ユーザにより設定又は選択されたコンテンツ情報に該当する待ち画面情報がプッシュ又はプルされ、該プッシュ又はプルされた情報が前記データビューアによりディスプレイされる段階と、
（ｄ）前記待ち画面にディスプレイされた画面で前記ユーザからプッシュ済み又はプル済みコンテンツ情報のうち所望のコンテンツ情報の詳細の要求を受けると、該要求されたコンテンツ情報を前記待ち画面制御システムに送信して前記所望のコンテンツの詳細情報を受信する段階と、
（ｅ）前記（ｄ）段階で前記受信されたコンテンツの詳細情報は前記データストーリッジから読み込み、移動通信端末装置に既に設定されている画面構成に応じてコンテンツ情報がディスプレイされる段階と、を含み、
前記（ｃ）段階の待ち画面にディスプレイされるコンテンツ情報は、所定のテンプレート構成に応じてディスプレイされ、
前記待ち画面は第１エリアと第２エリアに区画された画面を有し、
前記第１エリアには、コンテンツ情報がテーブル一覧にスライドテキスト又はイメージとしてディスプレイされるディスプレイモードが提供され、
前記第２エリアには、前記第１エリアにディスプレイされたコンテンツ情報に対応するメニュー又は移動通信端末装置の内部リソースを実行したり、仮想マシン（ＶＭ）アプリケーションの実行及び無線インターネットサイトへの接続を行ったりするためのショートカットがアイコンに形で与えられることを特徴とする移動通信端末装置においての待ち画面のリソース制御及び運用方法。
【請求項３】
前記待ち画面は、第１エリア、第２エリア及び第３エリアに区画された画面を有し、
前記第１エリアには、スライドテキスト又はイメージがディスプレイされるディスプレイモードが提供され、
前記第２エリアは区画された画面としてディスプレイされ、前記第２エリアには、前記区画されたそれぞれの画面には、該当コンテンツ情報を含むマルチメディアの形でディスプレイされるディスプレイモードが提供され、
前記第３エリアには、前記第１エリアと第２エリアにディスプレイされたコンテンツ情報に対応するメニュー又は移動通信端末装置の内部リソースを実行したり、仮想マシン（ＶＭ）アプリケーションの実行及び無線インターネットサイトへの接続を行ったりするためのショートカットがアイコンの形で与えられることを特徴とする請求項１又は２記載の移動通信端末装置においての待ち画面のリソース制御及び運用方法。
【請求項４】
前記待ち画面は第１エリア、第２エリア、第３エリア及び第４エリアに区画された画面を有し、
前記第１エリアには、スライドテキスト又はイメージがディスプレイされるディスプレイモードが提供され、
前記第２エリアには、それぞれのコンテンツ情報がチャンネル化したチャンネル切換え表示モードが提供され、 
前記第３エリアは区画された画面としてディスプレイされ、前記第３エリアには、前記区画されたそれぞれの画面が該当コンテンツ情報を含むマルチメディアの形でディスプレイされるディスプレイモードが提供され、
前記第４エリアには、前記第１エリア、第２エリア及び第３エリアにディスプレイされたコンテンツ情報に対応するメニュー又は移動通信端末装置の内部リソースを実行したり、仮想マシン（ＶＭ）アプリケーションの実行及び無線インターネットサイトへの接続を行ったりするためのショートカットがアイコンの形で与えられることを特徴とする請求項１又は２記載の移動通信端末装置においての待ち画面のリソース制御及び運用方法。
【請求項５】
前記マルチメディアの形でディスプレイされる画面には、コンテンツ情報を含むタイトルがディスプレイされることを特徴とする請求項１〜４のいずれかに記載の移動通信端末装置においての待ち画面のリソース制御及び運用方法。
【請求項６】
コンテンツ情報がチャンネル化してディスプレイされる画面で、前記チャンネルは分割された状態でディスプレイされることを特徴とする請求項１〜４のいずれかに記載の移動通信端末装置においての待ち画面のリソース制御及び運用方法。
【請求項７】
前記それぞれのアイコンは、追加、省略、並べ替えの表示が可能であり、特定キーの入力及び端末装置の特定な状態に応じて選択的にディスプレイされることを特徴とする請求項１〜４のいずれかに記載の移動通信端末装置においての待ち画面のリソース制御及び運用方法。
【請求項８】
前記マルチメディア形式の画面はアイコンの形で与えられ、分割されたそれぞれのコンテンツ情報アイコンをクリックすることにより、それぞれのコンテンツ情報に対応するコンテンツ情報の詳細が移動通信端末装置の画面全体、表示ウィンドウの全体、各エリアの全体又はその一部にディスプレイされることを特徴とする請求項１〜４のいずれかに記載の移動通信端末装置においての待ち画面のリソース制御及び運用方法。
【請求項９】
前記アイコンは、ディスプレイしたい情報に代わるマルチメディア情報、又はディスプレイしたい情報を縮小したプレビュー形式のマルチメディア情報をディスプレイすることを特徴とする請求項８記載の移動通信端末装置においての待ち画面のリソース制御及び運用方法。
【請求項１０】
前記スライドテキスト又はイメージテキストが表示される画面は、コンテンツのタイトルを含むテキスト又はアイコン形式となっており、前記テキスト又はアイコンを選択したり選択確定のためのキーを入力することにより、スライドテキスト又はイメージのマルチメディア・アイコンに対応するコンテンツ情報の詳細が移動通信端末装置の画面全体、表示ウィンドウの全体、各エリアの全体又はその一部にディスプレイされることを特徴とする請求項１〜４のいずれかに記載の移動通信端末装置においての待ち画面のリソース制御及び運用方法。
【請求項１１】
前記アイコンは、ディスプレイしたい情報を縮約し、又はそれに代わるマルチメディア情報、又はディスプレイしたい情報を縮小したプレビュー形式のマルチメディア情報をディスプレイすることを特徴とする請求項１，２，７〜９のいずれかに記載の移動通信端末装置においての待ち画面のリソース制御及び運用方法。
【発明の詳細な説明】
【技術分野】
【０００１】
本発明は、移動通信端末装置及びその駆動方法と、これを用いた待ち画面サービスシステム及び方法に係り、より詳細には、ユーザが端末及びインターネットサービスで設定した待ち画面情報をユーザ移動通信端末装置に提供し、提供された待ち画面情報をディスプレイする待ち画面機能を有し、待ち画面のディスプレイ方法を提供するための移動通信端末装置及びその駆動方法と、これを用いた待ち画面サービスシステム及び方法に関する。
【背景技術】
【０００２】
無線インターネットサービスが拡大するに伴い、ユーザ中心の情報サービスが提供され始め、これは、無線インターネットの大衆化につながる。通常、無線インターネットサービスシステムにおいて、ある情報はユーザに短文メッセージ（ＳＭＳ）の形で伝えられるため、短文メッセージで受信された情報は移動通信端末装置内で単なるメッセージとして保存される。この場合、金融情報及びエンターテインメント性バナーなどのマルチメディア情報が持続的に示せないのが現状である。
【０００３】
現在の無線インターネットサービスシステムは、移動通信端末装置のカラー画面の採用、移動通信携帯端末の高仕様化及び無線インターネットの高速化などに伴い、マルチメディア情報の利用が高まりつつある。
【０００４】
また、従来には、ユーザが設定した情報ではなく、特化した情報に限ってＳＭＳサービスを通じて情報を伝えていたため、様々な金融情報及びエンターテインメント性情報をユーザが設定して利用できないという不具合がある。
【０００５】
また、従来のＳＭＳサービスを用いた情報転送サービスは、一回に送れるデータの量が限られているため、オーディオやビデオタイプの情報はユーザに転送できないという不具合がある。
【０００６】
さらに、従来のＳＭＳを用いた情報転送サービスは、単なる情報提供サービスに留まっているため、ハイパーリンク機能を通じて関連する無線インターネットサイトに接続するような通信、つまり、ユーザとのインタラクティブ通信ができないという不具合がある。
【０００７】
また、従来には、ユーザ自身が移動通信携帯端末に組み込まれたインターネット接続アプリケーション又はブラウザを用いて接続しなければ情報が得られないため、ユーザごとに特化した情報の提供が不可であるという不具合がある。
【０００８】
上記の如き不具合を解決するために、本発明の出願人による方法が既に特許文献１に提案されている。この特許文献１には、移動通信端末装置に提供するためのコンテンツ情報を移動通信網による転送に即したメッセージフォーマットに変換し、変換されたスライドメッセージを移動通信端末装置に転送することで、ユーザによるコンテンツ情報の確認が可能になる。ところが、特許文献１には、コンテンツ情報がディスプレイされるテンプレートの構成方法や情報の提供方法の具体的な実施例が開示されていない。このため、本発明の出願人は、この明細書をもって、より詳細なテンプレートの構成方法や情報の提供方法を提案する。
【特許文献１】韓国特許登録番号第３９１２９１号公報
【発明の開示】
【発明が解決しようとする課題】
【０００９】
本発明は、上記事情に鑑みてなされたものであり、その目的は、ユーザ情報向けの待ち画面情報を受け取って保存し、保存された待ち画面情報をディスプレイするための、待ち画面の制御機能を有する移動通信端末装置を提供することにある。
【課題を解決するための手段】
【００１０】
また、本発明の他の目的は、前記待ち画面の制御機能を有する移動通信端末装置の駆動及び情報提供方法を提供することにある。
【００１１】
さらに、本発明のさらに他の目的は、移動通信端末装置やインターネットに接続可能なＰＣから個人の受信情報設定に合致する情報だけを移動通信端末装置に提供するための、移動通信網を用いた注文者要請情報の提供及び待ち画面サービス方法を提供することにある。
【００１２】
さらに、本発明のさらに他の目的は、前記移動通信網を用いた待ち画面サービス方法を行うためのシステムを提供することにある。
【００１３】
さらに、本発明のさらに他の目的は、ユーザが頻繁に使用する移動通信携帯端末の内部リソースを、ユーザが使い易いように待ち画面にアイコンの形でディスプレイする方法を提供することにある。
【００１４】
さらに、本発明のさらに他の目的は、情報転送が効率よく制御及び管理可能なチャンネル運営及び管理方法を提供することにある。
【００１５】
前記の如き諸目的を達成するために、本発明に係る移動通信端末装置においての待ち画面のリソース制御及び運用方法は、
移動通信端末装置と、コンテンツ情報を提供する待ち画面制御システムとを含む移動通信システムにおいて移動通信端末装置が待ち画面で受信されたコンテンツ情報を制御する方法であって、
前記移動通信端末装置は、
ユーザにより予め設定された待ち画面情報によるデータ構成情報を管理するコンフィギュレーション・マネージャ（Configuration Manager）と、
前記待ち画面情報に対するプッシュ・データ（Push Data）又はプル・データ（Pull Data）の提供を受けて、決められた形式に合わせてディスプレイできるようにするモジュールであるデータビューア（Data Viewer）と、
テキスト及びイメージのディスプレイ、ユーザ設定のショートカットアイコンのディスプレイ、ナビゲーションフォーカス（Navigation Focus）処理、ポップアップ処理を司り、前記待ち画面の各エリアを構成するデータをディスプレイするように制御するディスプレイマネージャ（Display Manager）と、
各種のイベント処理を司るイベント・ハンドラー（Event Handler）と、
前記待ち画面制御システムから受信されたプッシュ・データ又は前記プル・データを保存するデータストーリッジ（Data Storage）と、
前記待ち画面制御システムからプッシュ・データを受信して前記データストーリッジに保存し、待ち画面に表示するプッシュ・データ・マネージャ（Push Data Manager）と、
ユーザからプル・データ要請命令を受信すると、前記待ち画面システムに要請してプル・データを受信した後、前記データストーリッジに保存し、必要に応じてこれを待ち画面に表示するプル・データ・マネージャ（Pull Data Manager）と、
前記待ち画面制御システムと通信するデータ・インタフェース・モジュール（Data Interface Module）とを含み、
（ａ）前記移動通信端末装置がユーザからサービスコンテンツ情報の設定又は選択命令が入力されると、前記コンテンツ情報を前記待ち画面制御システムに提供する段階と、
（ｂ）前記待ち画面制御システムは、コンテンツ情報プロバイダ側と連動されており、前記コンテンツ情報プロバイダから受信されたマルチメディア情報をサーバ内でコンテンツ別にカテゴリ化した後、前記移動通信端末装置にプッシュ方式又はプル方式を用いて伝達するためのチャンネル及びスタックを割り当てる段階と、
（ｃ）前記サービスサーバから前記ユーザにより設定又は選択されたコンテンツ情報に該当する待ち画面情報がプッシュ又はプルされ、該プッシュ又はプルされた情報が前記データビューアによりディスプレイされる段階と、
（ｄ）前記待ち画面にディスプレイされた画面で前記ユーザからプッシュ済み又はプル済みコンテンツ情報のうち所望のコンテンツ情報の詳細の要求を受けると、該要求されたコンテンツ情報を前記待ち画面制御システムに送信して前記所望のコンテンツの詳細情報を受信する段階と、
（ｅ）前記（ｄ）段階で前記受信されたコンテンツの詳細情報は前記データストーリッジから読み込み、移動通信端末装置に既に設定されている画面構成に応じてコンテンツ情報がディスプレイされる段階と、を含み、
前記（ｃ）段階の待ち画面にディスプレイされるコンテンツ情報は、所定のテンプレート構成に応じてディスプレイされ、
前記待ち画面は第１エリアと第２エリアに区画された画面を有し、
前記第１エリアは区画された画面としてディスプレイされ、前記区画されたそれぞれの画面には、該当コンテンツ情報を含むマルチメディアの形でディスプレイされるディスプレイモードが提供され、
前記第２エリアには、前記第１エリアにディスプレイされたコンテンツ情報に対応するメニュー又は移動通信端末装置の内部リソースを実行したり、仮想マシン（ＶＭ）アプリケーションの実行及び無線インターネットサイトへの接続を行ったりするためのショートカットがアイコンに形で与えられることを特徴とする。
【発明の効果】
【００１６】
本発明によれば、ユーザに役立つ情報を提供するために、情報をユーザの移動通信端末装置に保存し、保存された情報を周期的に又はイベント発生時にディスプレイできることから、情報プロバイダのシステムロードを除去することができる。
【００１７】
また、ユーザ側にとっては、自分に与えられた待ち画面情報を持続的に又はイベント発生時に確認できることから、情報の利用効率を極大化させることができる。
【００１８】
さらに、ユーザ側にとっては、金融情報及びエンターテインメント性情報などの特定な情報だけではなく、コンテンツ・プロバイダ・システムからの様々なコンテンツを移動通信携帯端末を介して設定できることから、提供情報の種類を多角化させて情報をプル及びプッシュ方式により有効に使える。
【００１９】
さらに、受信した情報に関する詳細情報を見たいときには、ハイパーリンク機能を通じて関連する無線インターネットサイトに接続すればよいことから、インタラクティブ通信が可能になる。
【００２０】
さらに、移動通信網の運営者側にとっては、様々な広告サービス及びお知らせ、キャンペーンなどをカテゴリ化した顧客別に行うことから、ユーザに優しい管理が可能になる。
【００２１】
さらに、移動通信携帯端末の待ち画面にユーザが頻繁に使う内部リソースを配置することにより、ユーザ中心の端末運営が可能になる。
【００２２】
さらに、情報提供手段となるチャンネルの一部を外部サービスプロバイダに譲渡及びリースすることにより、一層様々なコンテンツ情報の提供が可能になる。これは、サービスインフラの冗長開発を減らし、移動通信のリソースを一層効率よく活用及び運用可能にする。
【発明を実施するための最良の形態】
【００２３】
以下、添付した図面に基づき、本発明の好適な実施例について詳細に説明する。
【００２４】
図１は、本発明に係る移動通信網を用いた待ち画面サービスシステムを説明するための図である。
【００２５】
図１を参照すれば、本発明に係る移動通信網を用いた待ち画面サービスシステムは、移動通信端末装置１０、待ち画面提供サーバ２０、移動通信端末装置加入者情報サーバ３０、及び短文メッセージサーバ４０を備えてなる。
【００２６】
移動通信端末装置１０は、移動通信網を介して待ち画面提供サーバ２０に接続して所望の情報を設定し、設定された情報を移動通信網を介して短文メッセージで受け取った後、それを移動通信端末装置のメモリ及び記憶装置（データストーリッジ（Data Storage））に保存し、保存された情報を組み合わせてディスプレイしたいイメージ形式に変換することで、所定の周期及びイベント発生時にディスプレイする。
【００２７】
待ち画面提供サーバ２０は、様々なコンテンツを提供するコンテンツ提供サーバと待ち画面サービス提供サーバが一体化したサーバであり、前記２台のサーバが物理的に分離されても構わない。
【００２８】
待ち画面提供サーバ２０に一体化したコンテンツ提供サーバは、ニュース情報、金融情報、エンターテインメント情報、教育情報、天気情報、ショッピング情報、スケジュール、及びオークション情報を含む様々なコンテンツを待ち画面提供サーバ２０に提供する。また、移動通信端末装置１０からは、移動通信網を介して受信したい情報の設定を受け、移動通信端末装置加入者情報サーバ３０からの加入者情報に基づき、コンテンツ情報を待ち画面メッセージフォーマットに加工した短文メッセージとして短文メッセージサーバ４０に提供する。このとき、加工された短文メッセージの転送ラインは、好ましくは、専用線からなる。
【００２９】
ニュース情報、金融情報、エンターテインメント情報、教育情報、天気情報、ショッピング情報、スケジュール、及びオークション情報を含む様々なコンテンツを移動通信端末装置１０に提供する。
【００３０】
短文メッセージサーバ４０は、待ち画面提供サーバ２０から待ち画面情報フォーマットに加工された短文メッセージを受け取り、それを移動通信網を介して移動通信端末装置１０に転送する。
【００３１】
以上では、様々なコンテンツを待ち画面情報フォーマットに変換した情報を移動通信網で用いられる短文メッセージサーバ（ＳＭＳ：Short Message Service server）により短文メッセージに変換する場合を例にとって説明したが、本発明はこれに限定されるものではなく、ＨＴＴＰ，ＣＢＳ，ＳＭＳなどを含んでＩＭＴ−２０００などが商用化する場合には、ＩＭＴ−２０００によるメッセージフォーマットに変換を行う構成要素によっても行われうるということは言うまでもない。
【００３２】
図２は、本発明に係る移動通信携帯端末と待ち画面制御システム間の構成を説明するための図である。図２を参照すれば、本発明に係る移動通信携帯端末と待ち画面制御システムは、データビューア（Data Viewer）１０１、コンフィギュレーション・マネージャ（Configuration Manager）１０２、ディスプレイ・マネージャ（Display Manager）１０３、イベント・ハンドラー（Event Handler）１０４、プッシュ・データ・マネージャ（Push Data Manager）１０５、プル・データ・マネージャ（Pull Data Manager）１０６、データ・インタフェース・モジュール（Data Interface module）１０７、アドミニストレーション・マネージャ（Administration Manager）１１１）、スケジューラ（Scheduler）１１２、プッシュ・エージェント （Push Agent）１１３、プル・エージェント（Pull Agent）１１４、ユーザ・プロファイル・シミュレータ（User Profile Simulator）１１５、ユーザ・プロファイル・マネージャ（User Profile Manager）１１６、データ・フォーマッタ及びユーティリティ（Data Formatter & Utility）１１７、インフォメーション・マッチ・メーカ（Information Match Maker）１１８、コンテンツ・サーバ・ゲートウェイ（Contents Server Gateway）１１９、及びデータベース（Database）１２０を含んでなる。
【００３３】
データビューア１０１は、ユーザにより設定された情報を、プルデータを送信されて所定のフォーマットに合わせてディスプレイ可能にするモジュールと、その他のユーティリティ（イメージ・デコード、コンテンツ・プレーヤと連動）と、からなる。コンフィギュレーション・マネージャ１０２は、待ち画面を構成する各エリアのデータ構成情報を管理すると共に、ユーザが端末の画面を介して設定した履歴を管理する。
【００３４】
ディスプレイ・マネージャ１０３は、待ち画面の各エリアを構成するデータを適切にディスプレイし、テキスト及びイメージのディスプレイ、ユーザ設定のショートカットアイコンのディスプレイ、ナビゲーション・フォーカス処理、ポップアップ処理などを司る。イベント・ハンドラー１０４は、ユーザ又は端末により生じる各種のイベントに対する処理を司り、方向キーを含む各種のキーイベントと端末で生じるイベント処理（データの閲覧、各種のブロッキング処理）を司る。必要に応じては、内蔵ブラウザーや仮想マシン（ＶＭ）アプリケーションなどを実行する。
【００３５】
プッシュ・データ・マネージャ１０５は、プッシュデータを受け取って処理するモジュールであって、データの拒否、保存、表示などの処理を担当する。プッシュデータには、通常のデータのほかに、データプルを始めたり端末の環境設定を可能にするためのコントロール・データが含まれても良い。プル・データ・マネージャ１０６は、プルデータを受け取って処理するモジュールであって、必要に応じては、ディスプレイのためにデータ・ビューア・モジュールにデータを転送することもある。また、プッシュデータのうちコントロール・データによりプル動作を可能にすることもある。
【００３６】
データ・インタフェース・モジュール１０７は、端末のプッシュ関係のＡＰＩ（ＳＭＳ，ＣＢＳ，データサービスなど）により構成され、待ち画面制御システムのインタフェースを司る。
【００３７】
アドミニストレーション・マネージャ１１１は、待ち画面制御システムを管理するためのモジュールであって、アドミニストレータ・アカウント管理及び認証、各種の統計データの報告、プロセスのモニタリング及び管理（開始、停止、再開など）、構成などを管理する。スケジューラ１１２は、各ユーザがプロファイルに設定した時刻、周期、設定イベントなどを検索して必要な動作を行うように管理する。
【００３８】
プッシュ・エージェント１１３は、データフォーマッタ１１７により加工されたプッシュデータをサービスプロバイダのプッシュシステム（ＳＭＳ，ＣＢＳ）に転送する。プル・エージェント１１４は、端末からのデータプル要求を処理するモジュールであって、端末から要求のあったデータを検索して端末に転送する。
【００３９】
ユーザ・プロファイル・シミュレータ１１５は、インターネットに接続されたＰＣを介してユーザ・プロファイル設定及びこれに対する端末シミュレーションを処理する。ユーザ・プロファイル・マネージャ１１６は、ユーザに自分のプロファイル管理を可能にするモジュールであって、各エリアの構成情報の管理、情報受信周期又は時刻の設定、プロファイルの変更、追加、削除、ユーザ認証などを管理し、コンフィギュレーション・マネージャ１０２と連動する。
【００４０】
データフォーマッタ及びユーティリティ１１７は、インフォメーション・マッチ・メーカ１１８から取り出されたデータを端末に転送する前に、端末の待ち画面制御クライアントが認識可能なフォーマットのデータに変換し、データフォーマットなどに必要な各種のユーティリティ（イメージ変換など）を含む。
【００４１】
インフォメーション・マッチ・メーカ１１８は、ユーザがプロファイルに設定したデータを検索し、コンテンツサーバから送られてくるデータのうちユーザが設定したデータだけを選び出す。
【００４２】
コンテンツ・サーバ・ゲートウェイ１１９は、端末に転送するコンテンツを提供する外部コンテンツサーバからデータを受け取るためのインタフェースを提供するモジュールとなる。データベース１２０は、ユーザ・プロファイル、コンテンツ、各種の統計情報などを保存して管理する。
【００４３】
図３は、本発明に係る待ち画面制御サーバの構成を説明するための図である。図３を参照すれば、本発明に係る待ち画面制御サーバは、各機能が最適に連携されることで、無線インターネットのプッシュ及びプルメッセージ管理ソリューションを具現し、待ち画面制御システム１５０、コンテンツ管理サーバ１５１、ＰＤＭサーバ１５２、ＣＲＭサーバ１５３、広告サーバ１５４、プル・データ・コントローラ１５５などを含んでなる。
【００４４】
待ち画面制御システム１５０は、待ち画面の短文メッセージ生成機能を提供することで、情報別チャンネルヘッダのリアルタイム付与、チャンネル情報のリアルタイム生成及び更新、ならびにイメージ情報の圧縮、分割などを行う。また、コンテンツ管理サーバ１５１は、ニュース、金融、エンターテインメント、占い、ショッピングなどの情報及び位置情報、出会い情報などのコミュニティサービスを提供し、ＰＤＭサーバ１５２は、個人情報管理の最適化を行う。その他に、ＣＲＭサーバ１５３は、ユーザの好みに合致する様々なサービスを提供し易くし、広告サーバ１５４は、無線インターネットを通じた各種のバナー広告及び政策広告などを司る。
【００４５】
このシステムによれば、コンテンツ情報提供サーバと待ち画面提供サービスサーバが物理的に単一のサーバから構成でき、ユーザが受信を希望する個人の情報設定に合致する情報を移動通信端末装置に提供するための移動通信網を用いた注文者要請情報を提供することが可能になる。
【００４６】
プル・データ・コントローラ１５５は、移動通信携帯端末から要求された情報転送モジュールに応答して一定のイベント発生期間に情報の更新を管理し、端末の要請によるデータ転送機能及び端末とサーバ間の個人情報の同期合わせを可能にする。
【００４７】
図４は、本発明に係る移動通信端末装置の構成を説明するための図である。移動通信端末装置の所有者は、自分の端末画面を通じて受信したい情報サービスの種類と画面にディスプレイされる形式を指定することができる。
【００４８】
端末は、サーバから提供されるユーザ注文情報（ＩＯＤ）をユーザが所望する形式でディスプレイする必要がある。端末は、ＩＯＤ情報に対する要請を２つの方式により処理する。
【００４９】
一つの方式は、短文情報、あるいはサーバへの情報要請のためのローケーションもしくは環境情報をプッシュデータを介して受信処理する。受信されたＳＭＳ情報は、端末の保存スペースにより管理される。プッシュデータが画面にディスプレイする短文情報を有している場合、これをイントロパッドＵＩマネージャ４１０を介してディスプレイし、ディスプレイ環境又は情報周期に関連する環境情報の場合、イントロパッド・コンフィギュレータ４２０により処理される。イントロパッド・コンフィギュレータ４２０は、更新周期又はディスプレイ形式に関する情報をスケジューラ４３０とイントロパッドＵＩマネージャ４１０により処理する。
【００５０】
もう一つの方式は、更新周期による処理である。つまり、ユーザが指定した更新周期ごとにスケジューラ４３０はサーバからのＩＯＤデータをプル・ハンドラー４４０に依頼し、プル・ハンドラー４４０は、プル・サーバ（図示せず）からプルデータを受け取ってイントロパッドプルデータ４５０の保存エリアに管理し、受信された情報をイントロパッドＵＩマネージャ４１０に渡してユーザの移動通信端末装置にディスプレイする。
【００５１】
図５は、本発明に係る移動通信端末装置の待ち画面のディスプレイ方法を説明するための図である。
【００５２】
ユーザが移動通信端末装置にコンテンツ情報を受信するためにサービスに加入し、コンテンツ情報を設定又は選択する（Ｓ５０１）。サービス提供サーバは、コンテンツ情報プロバイダ側と連動したり、コンテンツ提供サーバを含んでなることができ、テキスト情報をサーバ内でコンテンツ別にカテゴリ分けしてスタックを割り当てる（Ｓ５０２）。
【００５３】
前記サービス提供サーバからは前記ユーザにより設定又は選択されたコンテンツ情報に対応する画面情報がプッシュされ、プッシュされた情報が待ち画面にディスプレイされる（Ｓ５０３）。この段階は、待ち画面がディスプレイされる前に短文メッセージの受信有無をチェックし、短文メッセージが受信される場合には該当短文メッセージが待ち画面情報であるかどうかをチェックする段階と、受信される短文メッセージが通常の短文メッセージであるとチェックされる場合には、通常の短文メッセージを表示部にディスプレイ（Ｓ５０４）する段階と、受信される短文メッセージが待ち画面情報である場合には、待ち画面メッセージを分類した後、メモリの特定のスタックに分類されたメッセージを保存する段階と、を含んでなる。
【００５４】
ここで、受信される待ち画面メッセージは、移動通信端末装置のユーザ自身が受信を希望する場合に特定のコンテンツを設定する方式に提供されても、コンテンツ・プロバイダ側で自社の広告のための任意の情報をプッシュする方式により提供されても良い。
【００５５】
続けて、前記初期画面にディスプレイされた待ち画面で前記ユーザがプッシュコンテンツ情報のうち詳細コンテンツ情報を要請し、要請されたコンテンツ情報を受けることができる（Ｓ５０５）。前記Ｓ５０５段階で受け取ったコンテンツ情報は移動通信端末装置のメモリ及び記憶装置から読み込まれ、移動通信端末装置に既に設定された画面構成に応じてコンテンツ情報がディスプレイされる（Ｓ５０６）。
【００５６】
ここで、前記Ｓ５０３段階の待ち画面にディスプレイされるコンテンツ情報は、所定のテンプレート構成に応じてディスプレイされる。
【００５７】
図６は、サービス段階別の情報処理構造を説明するためのフローチャートである。
【００５８】
図６に示すように、サービス提供サーバ６００では、コンテンツの類型６０３に応じて情報の類型６０１が構成されたり、コンテンツの類型６０３に応じてチャンネル構成６０２が行われたりする。また、移動通信端末装置６１０では、コンテンツの類型に応じてテンプレート構成６０４が行われ、ディスプレイ方式６０５が決定されてディスプレイされる。
【００５９】
コンテンツの類型６０３は、コンテンツ・プロバイダ（ＣＰ）に提供されるコンテンツの種類に基づく分類体系であり、テキスト、イメージ、アニメーション・イメージ、動画像、テーブルなどに区分してそれぞれをＣ１，Ｃ２，Ｃ３，Ｃ４，Ｃ５，Ｃ６に定める。コンテンツの類型に応じて、ｔｘｔ，ｂｍｐ，ｐｎｇ，Ｇｉｆ，ｓｉｓ，ｍｐｅｇなどのファイルフォーマットに対応する。データのサイズはプッシュ及びプル情報に類分され、コンテンツの類型に応じて定義される。
【００６０】
前記コンテンツの類型による情報類型の構成６０１はプッシュ情報とプル情報に類分され、プッシュ情報はノティフィケーション型とインフォメーション型に分類される。ノティフィケーション型は、データプルのためのコールバックのアドレス値だけを有しており、インフォメーション型は、一部の情報とコールバックのアドレス値を有すると共に、ＳＭＳプッシュ、Ｗａｐプッシュ、ｈｔｔｐプッシュに対応し、ｈｔｔｐプッシュの場合には詳細情報に対応可能である。プル情報はプッシュ及びプル型とファインド及びプル型に分類される。ここで、プッシュ及びプル型は、インフォメーション・プッシュ又はノティフィケーション・プッシュのコールバックを通じて詳細情報を読み込む方式であり、ファインド及びプッシュ型は、データを探して該当データの詳細情報を読み込む方式である。
【００６１】
前記チャンネル構成６０２は、コンテンツの類型別に分類された情報を提供テンプレートに合わせて提供し、前記テンプレートの類型６０４は、ＵＩの構成に応じてメイン、サブ及びその他に類分される。前記ディスプレイ方式６０５としては、スライド方法、アイコン拡大方法、チャンネル切換え方法又は明示的なリアルタイムモード表示方法がある。前記チャンネル構成６０２、テンプレートの類型６０４、ディスプレイ方式６０５については、詳細に後述する。
【００６２】
図７は、本発明に係る移動通信端末装置の待ち画面テンプレートの一実施例を説明するための図である。図７を参照すれば、７０１エリアは、最大４つのサービスをマルチメディアの形で示し、様々なディスプレイモードを提供することで、ユーザに様々なディスプレイ・レイアウトが具現可能になる。７０２エリアには、小さなアイコンにより、移動通信携帯端末の内部リソースを実行したり、仮想マシン（ＶＭ）アプリケーションの実行及び無線インターネットサイトへの接続を行ったりするためのショートカットアイコンが表示される。
【００６３】
図８は、本発明に係る移動通信端末装置の待ち画面テンプレートの他の実施例を説明するための図である。図８を参照すれば、８０１エリアはスライドテキストとスライドイメージをディスプレイするエリアであり、８０２エリアは、最大４つのサービスをマルチメディアの形で示すためのエリアであり、そして８０３エリアは、小さなアイコンにより、移動通信携帯端末の内部リソースを実行したり、仮想マシン（ＶＭ）アプリケーションの実行及び無線インターネットサイトへの接続を行ったりするためのショートカットアイコンを表示するエリアである。
【００６４】
図９は、本発明に係る移動通信端末装置の待ち画面テンプレートのさらに他の実施例を説明するための図である。図９を参照すれば、９０１エリアは、待ち画面サービスの種類を示すタイトルバーを表示するエリアであり、９０２エリアは、コンテンツの表示を変えるためのチャンネル切換えエリアであり、９０３エリアは、コンテンツ情報サービスをマルチメディアの形で表示するためのエリアであり、そして９０４エリアは、小さなアイコンにより、移動通信携帯端末の内部リソースを実行したり、仮想マシン（ＶＭ）アプリケーションの実行及び無線インターネットサイトへの接続を行ったりするためのショートカットアイコン、及びリアルタイムにて情報が受信可能なリアルタイム情報提供アイコンを表示するエリアである。
【００６５】
図１０は、本発明に係るコンテンツ情報を提供するためにサービスプロバイダ側で構成したチャンネル構成の実施例を示す図である。図１０には、移動通信端末装置にコンテンツ情報がプッシュされる場合を想定しているが、コンテンツ情報に関する詳細情報をプルする場合にもチャンネル構成が可能である。また、移動通信端末装置に表示される画面をスライドエリア１０１０とイメージエリア１０２０に分けてチャンネルを構成することもできる。また、スライドエリア１０１０は、テキスト情報だけを含むテキスト情報チャンネル１０１０ａと、イメージ情報を含むイメージ情報チャンネル１０１０ｂからなり、コンテンツ情報が表示されるイメージエリア１０２０は、テキストとイメージが混在するチャンネル１０２０ａからなる。
【００６６】
ここで、各エリアのチャンネルそれぞれに対応するコンテンツ情報の類型（Ｃ１〜Ｃ６）が指定され、サービスプロバイダ側のチャンネル構成は、移動通信端末装置の画面エリアに連結される。移動通信端末装置の画面に表示されるチャンネル構成の具体的な例については、後述する図１１に示してある。
【００６７】
図１１は、マルチメディアの形で提供される分割画面がチャンネル化した場合の移動通信端末装置に表示されるテンプレート構成の実施例を示している。図１１に示すように、図７〜図９に示すマルチメディア画面を表示するエリアは、それぞれのコンテンツ情報の類型別にチャンネル化して構成されうる。また、図１０に示すコンテンツ情報提供サーバからなるチャンネルが連動している移動通信端末装置にディスプレイされるとき、ディスプレイされる画面は、図１１に示すテンプレートの構成に応じて様々に具現される。
【００６８】
ここで、ユーザは該当チャンネルを選択することで、該当チャンネルに対応付けられているコンテンツ情報を拡大してディスプレイできる。
【００６９】
図１２は、マルチメディアの形で提供される分割画面を選択したときに表示される画面の一実施例を示している。図１２に示すように、図７〜図９に示すマルチメディア画面を表示するエリアで該当コンテンツ情報を選択してディスプレイする場合、テキストだけを表示したり（１２０１）、イメージとテキスト又はイメージだけを表示したり（１２０２）、情報をテーブル化して表示したり（１２０３）、あるいはテキスト情報をリスト化して表示（１２０４）することができる。
【００７０】
図１３及び図１４は、本発明に係るコンテンツ情報のディスプレイ及び提供方法の一例であるスライド方法を説明するための図である。図１３に示すように、スライドテキスト情報１３０１を確認したり、サービス呼出しキーを選択すれば、移動通信端末装置の画面ウィンドウには詳細情報を呼び出し中である旨のメッセージ１３０２が表示され、次いで、選択した情報に対応する詳細情報１３０３がディスプレイされる。また、図１４に示すように、スライドイメージ情報１４０１を確認したり、サービス呼出しキーを選択すれば、移動通信端末装置の画面ウィンドウには待ち画面メッセージを呼び出し中である旨のメッセージ１４０２が表示され、次いで、選択した情報に対応する詳細情報イメージ及びテキスト情報１４０３がディスプレイされる。ここで、１３０２と１４０２については、その表示を省略しても良い。
【００７１】
図１５は、本発明に係るコンテンツ情報のディスプレイ及び提供方法の一例であるアイコン拡大方法を説明するための図である。図１５に示すように、マルチメディアの形で分割されて表示されるイメージエリア１５０１で、あるコンテンツ情報の拡大アイコンを選択すれば、該当イメージが拡大されてディスプレイされる。このとき、イメージエリア１５０１における該当イメージの拡大は、上下キーによるイメージの活性化、あるいは選択キーによる選択により可能である。次いで、拡大されたイメージエリア１５０２で確認又はサービス呼出しキーを選択すれば、移動通信端末装置の画面ウィンドウには待ち画面メッセージを呼び出し中である旨のメッセージ１５０３が表示され、選択した情報に対応する詳細情報１５０４がディスプレイされる。
【産業上の利用可能性】
【００７２】
本発明に係る方法によれば、ユーザが受信を希望する個人の情報設定に合致する情報を移動通信端末装置に提供できることはもとより、頻繁に使う移動通信携帯端末の内部リソースをユーザが使い易いように、待ち画面にアイコンの形で、区画された画面で、スライド方式の画面で、又は明示的な選択によってリアルタイムにてディスプレイできる。さらに、サービスプロバイダにとっては、特定のチャンネルを特殊な用途のコンテンツ提供及び外部サービスプロバイダのサービス提供などの特定な用途に割り当てて管理できるため、様々なビジネスが推進可能になる。
【図面の簡単な説明】
【００７３】
【図１】本発明に係る移動通信網を用いた待ち画面サービスシステムを説明するための図である。
【図２】本発明に係る移動通信携帯端末と待ち画面制御システム間の構成を説明するための図である。
【図３】本発明に係る待ち画面制御サーバの構成を説明するための図である。
【図４】本発明に係る移動通信端末装置の構成を説明するための図である。
【図５】本発明に係る移動通信端末装置の待ち画面のディスプレイ方法を説明するための図である。
【図６】サービス段階別の情報処理構造を説明するためのフローチャートである。
【図７】本発明に係る移動通信端末装置の待ち画面テンプレートの実施例を説明するための図である。
【図８】本発明に係る移動通信端末装置の待ち画面テンプレートの他の実施例を説明するための図である。
【図９】本発明に係る移動通信端末装置の待ち画面テンプレートのさらに他の実施例を説明するための図である。
【図１０】本発明に係るコンテンツ情報を提供するために、サービスプロバイダ側で構成したチャンネル構成図の実施例を示す図である。
【図１１】マルチメディア形式で提供される分割画面のチャンネル化を示す実施例を示す図である。
【図１２】マルチメディア形式で提供される分割画面を選択することにより表示される一実施例を示す図である。
【図１３】本発明に係るコンテンツ情報のディスプレイ及び提供方法の一例であるスライド方法を説明するための図である。
【図１４】本発明に係るコンテンツ情報のディスプレイ及び提供方法の一例であるスライド方法を説明するための図である。
【図１５】本発明に係るコンテンツ情報のディスプレイ及び提供方法の一例であるアイコン拡大方法を説明するための図である。
【図１】
2009140509.tif 000003
【図２】
2009140509.tif 000004
【図３】
2009140509.tif 000005
【図４】
2009140509.tif 000006
【図５】
2009140509.tif 000007
【図６】
2009140509.tif 000008
【図７】
2009140509.tif 000009
【図８】
2009140509.tif 000010
【図９】
2009140509.tif 000011
【図１０】
2009140509.tif 000012
【図１１】
2009140509.tif 000013
【図１２】
2009140509.tif 000014
【図１３】
2009140509.tif 000015
【図１４】
2009140509.tif 000016
【図１５】
2009140509.tif 000017
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
待ち画面制御システムから受信された待ち画面のリソースを制御及び運用する移動通信端末装置であって、
ユーザにより要請された前記待ち画面情報に対するプッシュ・データ（Push Data）又はプル・データ（Pull Data）を前記待ち画面制御システムから提供を受けて、決められた形式に合わせてディスプレイするデータビューア（Data Viewer）と、
前記待ち画面情報に対するプッシュ・データ又はプル・データをディスプレイするように制御するディスプレイ・マネージャ（Display Manager）と、
前記待ち画面制御システムから受信されたプッシュ・データ又は前記プル・データを保存するデータストーリッジ（Data Storage）と、
前記待ち画面制御システムからプッシュ・データを受信して前記データストーリッジに保存し、前記プッシュ・データを待ち画面に表示したり、前記待ち画面制御システムからコントロール・データ（Control Data）が含まれたプッシュ・データを受信して前記データストーリッジに保存し、前記コントロール・データに含まれたプル・データのためのコールバック（Call Back）のアドレスをプル・データ・マネージャ（Pull Data Manager）に送信するプッシュ・データ・マネージャ（Push Data Manager）と、
前記待ち画面制御システムからプル・データを受信したり、前記プッシュ・データ・マネージャから前記コントロール・データに含まれたプル・データのためのコールバックのアドレスを受信すると、自動的に前記待ち画面制御システムに要請して前記コールバックのアドレスを介してプル・データを受信した後、前記データストーリッジに保存し、必要に応じて前記プル・データを待ち画面に表示するプル・データ・マネージャとを含む、
待ち画面のリソースを制御及び運用する移動通信端末装置。
【請求項２】
前記コントロール・データは、前記移動通信端末装置の環境を再設定するためのデータをさらに含み、
前記プッシュ・データ・マネージャは、前記データを受信して前記移動通信端末装置の環境を再設定することを特徴とする請求項１に記載の待ち画面のリソースを制御及び運用する移動通信端末装置。
【請求項３】
請求項１による待ち画面のリソースを制御及び運用する移動通信端末装置を用いて、待ち画面制御システムから受信された待ち画面リソースを制御及び運用する方法であって、
（ａ）前記移動通信端末装置がユーザからコンテンツ情報の設定又は選択命令が入力されると、前記コンテンツ情報を前記待ち画面制御システムに提供する段階と、
（ｂ）前記待ち画面制御システムが前記コンテンツ情報をサービス提供サーバ内でカテゴリ化してチャンネル及びスタックを割り当てる段階と、
（ｃ）前記サービス提供サーバから前記コンテンツ情報に該当する待ち画面情報がプッシュされ、前記プッシュされた情報を前記データビューアによりディスプレイする段階と、
（ｄ）前記ディスプレイされた画面で前記プッシュされた情報がコンテンツ情報のためのコールバックのアドレスを有する場合、前記移動通信端末装置が前記コールバックのアドレスを介して自動的に前記コールバックのアドレスに該当するコンテンツ情報の詳細情報を前記待ち画面制御システムに要請する段階と、
（ｅ）前記移動通信端末装置が前記要請されたコールバックのアドレスに該当するコンテンツ情報の詳細情報を受信して前記データビューアによりディスプレイされる段階と、を含むことを特徴とする移動通信端末装置を用いた待ち画面のリソース制御及び運用方法。
【請求項４】
前記（ｄ）段階は、
前記プッシュされた情報が、前記移動通信端末装置の環境を再設定するためのデータを有する場合、前記データを受信して前記移動通信端末装置の環境を再設定する段階をさらに含むことを特徴とする請求項３に記載の移動通信端末装置を用いた待ち画面のリソース制御及び運用方法。
【請求項５】
前記（ｅ）段階は、
前記移動通信端末装置が前記要請されたコールバックのアドレスに該当するコンテンツ情報の詳細情報を受信してデータストーリッジに保存する過程と、
前記データストーリッジから前記コールバックのアドレスに該当するコンテンツ情報の詳細情報が読み込まれ、前記データビューアによりディスプレイする過程とを含むことを特徴とする請求項３に記載の移動通信端末装置を用いた待ち画面のリソース制御及び運用方法。
【請求項６】
請求項１による待ち画面のリソースを制御及び運用する移動通信端末装置を用いて、待ち画面制御システムから受信された待ち画面リソースを制御及び運用する方法であって、
（ａ）前記移動通信端末装置がユーザからコンテンツ情報の設定又は選択命令が入力されると、前記コンテンツ情報を前記待ち画面制御システムに提供する段階と、
（ｂ）前記待ち画面制御システムが前記コンテンツ情報をサービス提供サーバ内でカテゴリ化してチャンネル及びスタックを割り当てる段階と、
（ｃ）前記サービス提供サーバから前記コンテンツ情報に該当するコールバックのアドレスを受信した場合、前記移動通信端末装置が前記コールバックのアドレスを介して自動的に前記コールバックのアドレスに該当するコンテンツ情報の詳細情報を前記待ち画面制御システムに要請する段階と、
（ｄ）前記移動通信端末装置が前記要請されたコールバックのアドレスに該当するコンテンツ情報の詳細情報を受信して前記データビューアによりディスプレイする段階と、を含むことを特徴とする移動通信端末装置を用いた待ち画面のリソース制御及び運用方法。
【手続補正２】
【補正対象書類名】明細書
【補正対象項目名】全文
【補正方法】変更
【補正の内容】
【発明の詳細な説明】
【技術分野】
【０００１】
本発明は、移動通信端末装置及びその駆動方法と、これを用いた待ち画面サービスシステム及び方法に係り、より詳細には、ユーザが端末及びインターネットサービスで設定した待ち画面情報をユーザ移動通信端末装置に提供し、提供された待ち画面情報をディスプレイする待ち画面機能を有し、待ち画面のディスプレイ方法を提供するための移動通信端末装置及びその駆動方法と、これを用いた待ち画面サービスシステム及び方法に関する。
【背景技術】
【０００２】
無線インターネットサービスが拡大するに伴い、ユーザ中心の情報サービスが提供され始め、これは、無線インターネットの大衆化につながる。通常、無線インターネットサービスシステムにおいて、ある情報はユーザに短文メッセージ（ＳＭＳ）の形で伝えられるため、短文メッセージで受信された情報は移動通信端末装置内で単なるメッセージとして保存される。この場合、金融情報及びエンターテインメント性バナーなどのマルチメディア情報が持続的に示せないのが現状である。
【０００３】
現在の無線インターネットサービスシステムは、移動通信端末装置のカラー画面の採用、移動通信携帯端末の高仕様化及び無線インターネットの高速化などに伴い、マルチメディア情報の利用が高まりつつある。
【０００４】
また、従来には、ユーザが設定した情報ではなく、特化した情報に限ってＳＭＳサービスを通じて情報を伝えていたため、様々な金融情報及びエンターテインメント性情報をユーザが設定して利用できないという不具合がある。
【０００５】
また、従来のＳＭＳサービスを用いた情報転送サービスは、一回に送れるデータの量が限られているため、オーディオやビデオタイプの情報はユーザに転送できないという不具合がある。
【０００６】
さらに、従来のＳＭＳを用いた情報転送サービスは、単なる情報提供サービスに留まっているため、ハイパーリンク機能を通じて関連する無線インターネットサイトに接続するような通信、つまり、ユーザとのインタラクティブ通信ができないという不具合がある。
【０００７】
また、従来には、ユーザ自身が移動通信携帯端末に組み込まれたインターネット接続アプリケーション又はブラウザを用いて接続しなければ情報が得られないため、ユーザごとに特化した情報の提供が不可であるという不具合がある。
【０００８】
上記の如き不具合を解決するために、本発明の出願人による方法が既に特許文献１に提案されている。この特許文献１には、移動通信端末装置に提供するためのコンテンツ情報を移動通信網による転送に即したメッセージフォーマットに変換し、変換されたスライドメッセージを移動通信端末装置に転送することで、ユーザによるコンテンツ情報の確認が可能になる。ところが、特許文献１には、コンテンツ情報がディスプレイされるテンプレートの構成方法や情報の提供方法の具体的な実施例が開示されていない。このため、本発明の出願人は、この明細書をもって、より詳細なテンプレートの構成方法や情報の提供方法を提案する。
【特許文献１】韓国特許登録番号第３９１２９１号公報
【発明の開示】
【発明が解決しようとする課題】
【０００９】
本発明は、上記事情に鑑みてなされたものであり、その目的は、ユーザ情報向けの待ち画面情報を受け取って保存し、保存された待ち画面情報をディスプレイするための、待ち画面の制御機能を有する移動通信端末装置を提供することにある。
【課題を解決するための手段】
【００１０】
また、本発明の他の目的は、前記待ち画面の制御機能を有する移動通信端末装置の駆動及び情報提供方法を提供することにある。
【００１１】
さらに、本発明のさらに他の目的は、移動通信端末装置やインターネットに接続可能なＰＣから個人の受信情報設定に合致する情報だけを移動通信端末装置に提供するための、移動通信網を用いた注文者要請情報の提供及び待ち画面サービス方法を提供することにある。
【００１２】
さらに、本発明のさらに他の目的は、前記移動通信網を用いた待ち画面サービス方法を行うためのシステムを提供することにある。
【００１３】
さらに、本発明のさらに他の目的は、ユーザが頻繁に使用する移動通信携帯端末の内部リソースを、ユーザが使い易いように待ち画面にアイコンの形でディスプレイする方法を提供することにある。
【００１４】
さらに、本発明のさらに他の目的は、情報転送が効率よく制御及び管理可能なチャンネル運営及び管理方法を提供することにある。
【００１５】
前記の如き諸目的を達成するために、本発明は、待ち画面制御システムから受信された待ち画面のリソースを制御及び運用する移動通信端末装置であって、
ユーザにより要請された前記待ち画面情報に対するプッシュ・データ（Push Data）又はプル・データ（Pull Data）を前記待ち画面制御システムから提供を受けて、決められた形式に合わせてディスプレイするデータビューア（Data Viewer）と、
前記待ち画面情報に対するプッシュ・データ又はプル・データをディスプレイするように制御するディスプレイマネージャ（Display Manager）と、
前記待ち画面制御システムから受信されたプッシュ・データ又は前記プル・データを保存するデータストーリッジ（Data Storage）と、
前記待ち画面制御システムからプッシュ・データを受信して前記データストーリッジに保存し、前記プッシュ・データを待ち画面に表示したり、前記待ち画面制御システムからコントロール・データ（Control Data）が含まれたプッシュ・データを受信して前記データストーリッジに保存し、前記コントロール・データに含まれたプル・データのためのコールバック（Call Back）のアドレスをプル・データ・マネージャ（Pull Data Manager）に送信するプッシュ・データ・マネージャ（Push Data Manager）と、
前記待ち画面制御システムからプル・データを受信したり、前記プッシュ・データ・マネージャから前記コントロール・データに含まれたプル・データのためのコールバックのアドレスを受信すると、自動的に前記待ち画面制御システムに要請して前記コールバックのアドレスを介してプル・データを受信した後、前記データストーリッジに保存し、必要に応じて前記プル・データを待ち画面に表示するプル・データ・マネージャとを含む、
待ち画面のリソースを制御及び運用することを特徴とする。
【発明の効果】
【００１６】
本発明によれば、ユーザに役立つ情報を提供するために、情報をユーザの移動通信端末装置に保存し、保存された情報を周期的に又はイベント発生時にディスプレイできることから、情報プロバイダのシステムロードを除去することができる。
【００１７】
また、ユーザ側にとっては、自分に与えられた待ち画面情報を持続的に又はイベント発生時に確認できることから、情報の利用効率を極大化させることができる。
【００１８】
さらに、ユーザ側にとっては、金融情報及びエンターテインメント性情報などの特定な情報だけではなく、コンテンツ・プロバイダ・システムからの様々なコンテンツを移動通信携帯端末を介して設定できることから、提供情報の種類を多角化させて情報をプル及びプッシュ方式により有効に使える。
【００１９】
さらに、受信した情報に関する詳細情報を見たいときには、ハイパーリンク機能を通じて関連する無線インターネットサイトに接続すればよいことから、インタラクティブ通信が可能になる。
【００２０】
さらに、移動通信網の運営者側にとっては、様々な広告サービス及びお知らせ、キャンペーンなどをカテゴリ化した顧客別に行うことから、ユーザに優しい管理が可能になる。
【００２１】
さらに、移動通信携帯端末の待ち画面にユーザが頻繁に使う内部リソースを配置することにより、ユーザ中心の端末運営が可能になる。
【００２２】
さらに、情報提供手段となるチャンネルの一部を外部サービスプロバイダに譲渡及びリースすることにより、一層様々なコンテンツ情報の提供が可能になる。これは、サービスインフラの冗長開発を減らし、移動通信のリソースを一層効率よく活用及び運用可能にする。
【発明を実施するための最良の形態】
【００２３】
以下、添付した図面に基づき、本発明の好適な実施例について詳細に説明する。
【００２４】
図１は、本発明に係る移動通信網を用いた待ち画面サービスシステムを説明するための図である。
【００２５】
図１を参照すれば、本発明に係る移動通信網を用いた待ち画面サービスシステムは、移動通信端末装置１０、待ち画面提供サーバ２０、移動通信端末装置加入者情報サーバ３０、及び短文メッセージサーバ４０を備えてなる。
【００２６】
移動通信端末装置１０は、移動通信網を介して待ち画面提供サーバ２０に接続して所望の情報を設定し、設定された情報を移動通信網を介して短文メッセージで受け取った後、それを移動通信端末装置のメモリ及び記憶装置（データストーリッジ（Data Storage））に保存し、保存された情報を組み合わせてディスプレイしたいイメージ形式に変換することで、所定の周期及びイベント発生時にディスプレイする。
【００２７】
待ち画面提供サーバ２０は、様々なコンテンツを提供するコンテンツ提供サーバと待ち画面サービス提供サーバが一体化したサーバであり、前記２台のサーバが物理的に分離されても構わない。
【００２８】
待ち画面提供サーバ２０に一体化したコンテンツ提供サーバは、ニュース情報、金融情報、エンターテインメント情報、教育情報、天気情報、ショッピング情報、スケジュール、及びオークション情報を含む様々なコンテンツを待ち画面提供サーバ２０に提供する。また、移動通信端末装置１０からは、移動通信網を介して受信したい情報の設定を受け、移動通信端末装置加入者情報サーバ３０からの加入者情報に基づき、コンテンツ情報を待ち画面メッセージフォーマットに加工した短文メッセージとして短文メッセージサーバ４０に提供する。このとき、加工された短文メッセージの転送ラインは、好ましくは、専用線からなる。
【００２９】
ニュース情報、金融情報、エンターテインメント情報、教育情報、天気情報、ショッピング情報、スケジュール、及びオークション情報を含む様々なコンテンツを移動通信端末装置１０に提供する。
【００３０】
短文メッセージサーバ４０は、待ち画面提供サーバ２０から待ち画面情報フォーマットに加工された短文メッセージを受け取り、それを移動通信網を介して移動通信端末装置１０に転送する。
【００３１】
以上では、様々なコンテンツを待ち画面情報フォーマットに変換した情報を移動通信網で用いられる短文メッセージサーバ（ＳＭＳ：Short Message Service server）により短文メッセージに変換する場合を例にとって説明したが、本発明はこれに限定されるものではなく、ＨＴＴＰ，ＣＢＳ，ＳＭＳなどを含んでＩＭＴ−２０００などが商用化する場合には、ＩＭＴ−２０００によるメッセージフォーマットに変換を行う構成要素によっても行われうるということは言うまでもない。
【００３２】
図２は、本発明に係る移動通信携帯端末と待ち画面制御システム間の構成を説明するための図である。図２を参照すれば、本発明に係る移動通信携帯端末と待ち画面制御システムは、データビューア（Data Viewer）１０１、コンフィギュレーション・マネージャ（Configuration Manager）１０２、ディスプレイ・マネージャ（Display Manager）１０３、イベント・ハンドラー（Event Handler）１０４、プッシュ・データ・マネージャ（Push Data Manager）１０５、プル・データ・マネージャ（Pull Data Manager）１０６、データ・インタフェース・モジュール（Data Interface module）１０７、アドミニストレーション・マネージャ（Administration Manager）１１１）、スケジューラ（Scheduler）１１２、プッシュ・エージェント （Push Agent）１１３、プル・エージェント（Pull Agent）１１４、ユーザ・プロファイル・シミュレータ（User Profile Simulator）１１５、ユーザ・プロファイル・マネージャ（User Profile Manager）１１６、データ・フォーマッタ及びユーティリティ（Data Formatter & Utility）１１７、インフォメーション・マッチ・メーカ（Information Match Maker）１１８、コンテンツ・サーバ・ゲートウェイ（Contents Server Gateway）１１９、及びデータベース（Database）１２０を含んでなる。
【００３３】
データビューア１０１は、ユーザにより設定された情報を、プルデータを送信されて所定のフォーマットに合わせてディスプレイ可能にするモジュールと、その他のユーティリティ（イメージ・デコード、コンテンツ・プレーヤと連動）と、からなる。コンフィギュレーション・マネージャ１０２は、待ち画面を構成する各エリアのデータ構成情報を管理すると共に、ユーザが端末の画面を介して設定した履歴を管理する。
【００３４】
ディスプレイ・マネージャ１０３は、待ち画面の各エリアを構成するデータを適切にディスプレイし、テキスト及びイメージのディスプレイ、ユーザ設定のショートカットアイコンのディスプレイ、ナビゲーション・フォーカス処理、ポップアップ処理などを司る。イベント・ハンドラー１０４は、ユーザ又は端末により生じる各種のイベントに対する処理を司り、方向キーを含む各種のキーイベントと端末で生じるイベント処理（データの閲覧、各種のブロッキング処理）を司る。必要に応じては、内蔵ブラウザーや仮想マシン（ＶＭ）アプリケーションなどを実行する。
【００３５】
プッシュ・データ・マネージャ１０５は、プッシュデータを受け取って処理するモジュールであって、データの拒否、保存、表示などの処理を担当する。プッシュデータには、通常のデータのほかに、データプルを始めたり端末の環境設定を可能にするためのコントロール・データが含まれても良い。プル・データ・マネージャ１０６は、プルデータを受け取って処理するモジュールであって、必要に応じては、ディスプレイのためにデータ・ビューア・モジュールにデータを転送することもある。また、プッシュデータのうちコントロール・データによりプル動作を可能にすることもある。
【００３６】
データ・インタフェース・モジュール１０７は、端末のプッシュ関係のＡＰＩ（ＳＭＳ，ＣＢＳ，データサービスなど）により構成され、待ち画面制御システムのインタフェースを司る。
【００３７】
アドミニストレーション・マネージャ１１１は、待ち画面制御システムを管理するためのモジュールであって、アドミニストレータ・アカウント管理及び認証、各種の統計データの報告、プロセスのモニタリング及び管理（開始、停止、再開など）、構成などを管理する。スケジューラ１１２は、各ユーザがプロファイルに設定した時刻、周期、設定イベントなどを検索して必要な動作を行うように管理する。
【００３８】
プッシュ・エージェント１１３は、データフォーマッタ１１７により加工されたプッシュデータをサービスプロバイダのプッシュシステム（ＳＭＳ，ＣＢＳ）に転送する。プル・エージェント１１４は、端末からのデータプル要求を処理するモジュールであって、端末から要求のあったデータを検索して端末に転送する。
【００３９】
ユーザ・プロファイル・シミュレータ１１５は、インターネットに接続されたＰＣを介してユーザ・プロファイル設定及びこれに対する端末シミュレーションを処理する。ユーザ・プロファイル・マネージャ１１６は、ユーザに自分のプロファイル管理を可能にするモジュールであって、各エリアの構成情報の管理、情報受信周期又は時刻の設定、プロファイルの変更、追加、削除、ユーザ認証などを管理し、コンフィギュレーション・マネージャ１０２と連動する。
【００４０】
データフォーマッタ及びユーティリティ１１７は、インフォメーション・マッチ・メーカ１１８から取り出されたデータを端末に転送する前に、端末の待ち画面制御クライアントが認識可能なフォーマットのデータに変換し、データフォーマットなどに必要な各種のユーティリティ（イメージ変換など）を含む。
【００４１】
インフォメーション・マッチ・メーカ１１８は、ユーザがプロファイルに設定したデータを検索し、コンテンツサーバから送られてくるデータのうちユーザが設定したデータだけを選び出す。
【００４２】
コンテンツ・サーバ・ゲートウェイ１１９は、端末に転送するコンテンツを提供する外部コンテンツサーバからデータを受け取るためのインタフェースを提供するモジュールとなる。データベース１２０は、ユーザ・プロファイル、コンテンツ、各種の統計情報などを保存して管理する。
【００４３】
図３は、本発明に係る待ち画面制御サーバの構成を説明するための図である。図３を参照すれば、本発明に係る待ち画面制御サーバは、各機能が最適に連携されることで、無線インターネットのプッシュ及びプルメッセージ管理ソリューションを具現し、待ち画面制御システム１５０、コンテンツ管理サーバ１５１、ＰＤＭサーバ１５２、ＣＲＭサーバ１５３、広告サーバ１５４、プル・データ・コントローラ１５５などを含んでなる。
【００４４】
待ち画面制御システム１５０は、待ち画面の短文メッセージ生成機能を提供することで、情報別チャンネルヘッダのリアルタイム付与、チャンネル情報のリアルタイム生成及び更新、ならびにイメージ情報の圧縮、分割などを行う。また、コンテンツ管理サーバ１５１は、ニュース、金融、エンターテインメント、占い、ショッピングなどの情報及び位置情報、出会い情報などのコミュニティサービスを提供し、ＰＤＭサーバ１５２は、個人情報管理の最適化を行う。その他に、ＣＲＭサーバ１５３は、ユーザの好みに合致する様々なサービスを提供し易くし、広告サーバ１５４は、無線インターネットを通じた各種のバナー広告及び政策広告などを司る。
【００４５】
このシステムによれば、コンテンツ情報提供サーバと待ち画面提供サービスサーバが物理的に単一のサーバから構成でき、ユーザが受信を希望する個人の情報設定に合致する情報を移動通信端末装置に提供するための移動通信網を用いた注文者要請情報を提供することが可能になる。
【００４６】
プル・データ・コントローラ１５５は、移動通信携帯端末から要求された情報転送モジュールに応答して一定のイベント発生期間に情報の更新を管理し、端末の要請によるデータ転送機能及び端末とサーバ間の個人情報の同期合わせを可能にする。
【００４７】
図４は、本発明に係る移動通信端末装置の構成を説明するための図である。移動通信端末装置の所有者は、自分の端末画面を通じて受信したい情報サービスの種類と画面にディスプレイされる形式を指定することができる。
【００４８】
端末は、サーバから提供されるユーザ注文情報（ＩＯＤ）をユーザが所望する形式でディスプレイする必要がある。端末は、ＩＯＤ情報に対する要請を２つの方式により処理する。
【００４９】
一つの方式は、短文情報、あるいはサーバへの情報要請のためのローケーションもしくは環境情報をプッシュデータを介して受信処理する。受信されたＳＭＳ情報は、端末の保存スペースにより管理される。プッシュデータが画面にディスプレイする短文情報を有している場合、これをイントロパッドＵＩマネージャ４１０を介してディスプレイし、ディスプレイ環境又は情報周期に関連する環境情報の場合、イントロパッド・コンフィギュレータ４２０により処理される。イントロパッド・コンフィギュレータ４２０は、更新周期又はディスプレイ形式に関する情報をスケジューラ４３０とイントロパッドＵＩマネージャ４１０により処理する。
【００５０】
もう一つの方式は、更新周期による処理である。つまり、ユーザが指定した更新周期ごとにスケジューラ４３０はサーバからのＩＯＤデータをプル・ハンドラー４４０に依頼し、プル・ハンドラー４４０は、プル・サーバ（図示せず）からプルデータを受け取ってイントロパッドプルデータ４５０の保存エリアに管理し、受信された情報をイントロパッドＵＩマネージャ４１０に渡してユーザの移動通信端末装置にディスプレイする。
【００５１】
図５は、本発明に係る移動通信端末装置の待ち画面のディスプレイ方法を説明するための図である。
【００５２】
ユーザが移動通信端末装置にコンテンツ情報を受信するためにサービスに加入し、コンテンツ情報を設定又は選択する（Ｓ５０１）。サービス提供サーバは、コンテンツ情報プロバイダ側と連動したり、コンテンツ提供サーバを含んでなることができ、テキスト情報をサーバ内でコンテンツ別にカテゴリ分けしてスタックを割り当てる（Ｓ５０２）。
【００５３】
前記サービス提供サーバからは前記ユーザにより設定又は選択されたコンテンツ情報に対応する画面情報がプッシュされ、プッシュされた情報が待ち画面にディスプレイされる（Ｓ５０３）。この段階は、待ち画面がディスプレイされる前に短文メッセージの受信有無をチェックし、短文メッセージが受信される場合には該当短文メッセージが待ち画面情報であるかどうかをチェックする段階と、受信される短文メッセージが通常の短文メッセージであるとチェックされる場合には、通常の短文メッセージを表示部にディスプレイ（Ｓ５０４）する段階と、受信される短文メッセージが待ち画面情報である場合には、待ち画面メッセージを分類した後、メモリの特定のスタックに分類されたメッセージを保存する段階と、を含んでなる。
【００５４】
ここで、受信される待ち画面メッセージは、移動通信端末装置のユーザ自身が受信を希望する場合に特定のコンテンツを設定する方式に提供されても、コンテンツ・プロバイダ側で自社の広告のための任意の情報をプッシュする方式により提供されても良い。
【００５５】
続けて、前記初期画面にディスプレイされた待ち画面で前記ユーザがプッシュコンテンツ情報のうち詳細コンテンツ情報を要請し、要請されたコンテンツ情報を受けることができる（Ｓ５０５）。前記Ｓ５０５段階で受け取ったコンテンツ情報は移動通信端末装置のメモリ及び記憶装置から読み込まれ、移動通信端末装置に既に設定された画面構成に応じてコンテンツ情報がディスプレイされる（Ｓ５０６）。
【００５６】
ここで、前記Ｓ５０３段階の待ち画面にディスプレイされるコンテンツ情報は、所定のテンプレート構成に応じてディスプレイされる。
【００５７】
図６は、サービス段階別の情報処理構造を説明するためのフローチャートである。
【００５８】
図６に示すように、サービス提供サーバ６００では、コンテンツの類型６０３に応じて情報の類型６０１が構成されたり、コンテンツの類型６０３に応じてチャンネル構成６０２が行われたりする。また、移動通信端末装置６１０では、コンテンツの類型に応じてテンプレート構成６０４が行われ、ディスプレイ方式６０５が決定されてディスプレイされる。
【００５９】
コンテンツの類型６０３は、コンテンツ・プロバイダ（ＣＰ）に提供されるコンテンツの種類に基づく分類体系であり、テキスト、イメージ、アニメーション・イメージ、動画像、テーブルなどに区分してそれぞれをＣ１，Ｃ２，Ｃ３，Ｃ４，Ｃ５，Ｃ６に定める。コンテンツの類型に応じて、ｔｘｔ，ｂｍｐ，ｐｎｇ，Ｇｉｆ，ｓｉｓ，ｍｐｅｇなどのファイルフォーマットに対応する。データのサイズはプッシュ及びプル情報に類分され、コンテンツの類型に応じて定義される。
【００６０】
前記コンテンツの類型による情報類型の構成６０１はプッシュ情報とプル情報に類分され、プッシュ情報はノティフィケーション型とインフォメーション型に分類される。ノティフィケーション型は、データプルのためのコールバックのアドレス値だけを有しており、インフォメーション型は、一部の情報とコールバックのアドレス値を有すると共に、ＳＭＳプッシュ、Ｗａｐプッシュ、ｈｔｔｐプッシュに対応し、ｈｔｔｐプッシュの場合には詳細情報に対応可能である。プル情報はプッシュ及びプル型とファインド及びプル型に分類される。ここで、プッシュ及びプル型は、インフォメーション・プッシュ又はノティフィケーション・プッシュのコールバックを通じて詳細情報を読み込む方式であり、ファインド及びプッシュ型は、データを探して該当データの詳細情報を読み込む方式である。
【００６１】
前記チャンネル構成６０２は、コンテンツの類型別に分類された情報を提供テンプレートに合わせて提供し、前記テンプレートの類型６０４は、ＵＩの構成に応じてメイン、サブ及びその他に類分される。前記ディスプレイ方式６０５としては、スライド方法、アイコン拡大方法、チャンネル切換え方法又は明示的なリアルタイムモード表示方法がある。前記チャンネル構成６０２、テンプレートの類型６０４、ディスプレイ方式６０５については、詳細に後述する。
【００６２】
図７は、本発明に係る移動通信端末装置の待ち画面テンプレートの一実施例を説明するための図である。図７を参照すれば、７０１エリアは、最大４つのサービスをマルチメディアの形で示し、様々なディスプレイモードを提供することで、ユーザに様々なディスプレイ・レイアウトが具現可能になる。７０２エリアには、小さなアイコンにより、移動通信携帯端末の内部リソースを実行したり、仮想マシン（ＶＭ）アプリケーションの実行及び無線インターネットサイトへの接続を行ったりするためのショートカットアイコンが表示される。
【００６３】
図８は、本発明に係る移動通信端末装置の待ち画面テンプレートの他の実施例を説明するための図である。図８を参照すれば、８０１エリアはスライドテキストとスライドイメージをディスプレイするエリアであり、８０２エリアは、最大４つのサービスをマルチメディアの形で示すためのエリアであり、そして８０３エリアは、小さなアイコンにより、移動通信携帯端末の内部リソースを実行したり、仮想マシン（ＶＭ）アプリケーションの実行及び無線インターネットサイトへの接続を行ったりするためのショートカットアイコンを表示するエリアである。
【００６４】
図９は、本発明に係る移動通信端末装置の待ち画面テンプレートのさらに他の実施例を説明するための図である。図９を参照すれば、９０１エリアは、待ち画面サービスの種類を示すタイトルバーを表示するエリアであり、９０２エリアは、コンテンツの表示を変えるためのチャンネル切換えエリアであり、９０３エリアは、コンテンツ情報サービスをマルチメディアの形で表示するためのエリアであり、そして９０４エリアは、小さなアイコンにより、移動通信携帯端末の内部リソースを実行したり、仮想マシン（ＶＭ）アプリケーションの実行及び無線インターネットサイトへの接続を行ったりするためのショートカットアイコン、及びリアルタイムにて情報が受信可能なリアルタイム情報提供アイコンを表示するエリアである。
【００６５】
図１０は、本発明に係るコンテンツ情報を提供するためにサービスプロバイダ側で構成したチャンネル構成の実施例を示す図である。図１０には、移動通信端末装置にコンテンツ情報がプッシュされる場合を想定しているが、コンテンツ情報に関する詳細情報をプルする場合にもチャンネル構成が可能である。また、移動通信端末装置に表示される画面をスライドエリア１０１０とイメージエリア１０２０に分けてチャンネルを構成することもできる。また、スライドエリア１０１０は、テキスト情報だけを含むテキスト情報チャンネル１０１０ａと、イメージ情報を含むイメージ情報チャンネル１０１０ｂからなり、コンテンツ情報が表示されるイメージエリア１０２０は、テキストとイメージが混在するチャンネル１０２０ａからなる。
【００６６】
ここで、各エリアのチャンネルそれぞれに対応するコンテンツ情報の類型（Ｃ１〜Ｃ６）が指定され、サービスプロバイダ側のチャンネル構成は、移動通信端末装置の画面エリアに連結される。移動通信端末装置の画面に表示されるチャンネル構成の具体的な例については、後述する図１１に示してある。
【００６７】
図１１は、マルチメディアの形で提供される分割画面がチャンネル化した場合の移動通信端末装置に表示されるテンプレート構成の実施例を示している。図１１に示すように、図７〜図９に示すマルチメディア画面を表示するエリアは、それぞれのコンテンツ情報の類型別にチャンネル化して構成されうる。また、図１０に示すコンテンツ情報提供サーバからなるチャンネルが連動している移動通信端末装置にディスプレイされるとき、ディスプレイされる画面は、図１１に示すテンプレートの構成に応じて様々に具現される。
【００６８】
ここで、ユーザは該当チャンネルを選択することで、該当チャンネルに対応付けられているコンテンツ情報を拡大してディスプレイできる。
【００６９】
図１２は、マルチメディアの形で提供される分割画面を選択したときに表示される画面の一実施例を示している。図１２に示すように、図７〜図９に示すマルチメディア画面を表示するエリアで該当コンテンツ情報を選択してディスプレイする場合、テキストだけを表示したり（１２０１）、イメージとテキスト又はイメージだけを表示したり（１２０２）、情報をテーブル化して表示したり（１２０３）、あるいはテキスト情報をリスト化して表示（１２０４）することができる。
【００７０】
図１３及び図１４は、本発明に係るコンテンツ情報のディスプレイ及び提供方法の一例であるスライド方法を説明するための図である。図１３に示すように、スライドテキスト情報１３０１を確認したり、サービス呼出しキーを選択すれば、移動通信端末装置の画面ウィンドウには詳細情報を呼び出し中である旨のメッセージ１３０２が表示され、次いで、選択した情報に対応する詳細情報１３０３がディスプレイされる。また、図１４に示すように、スライドイメージ情報１４０１を確認したり、サービス呼出しキーを選択すれば、移動通信端末装置の画面ウィンドウには待ち画面メッセージを呼び出し中である旨のメッセージ１４０２が表示され、次いで、選択した情報に対応する詳細情報イメージ及びテキスト情報１４０３がディスプレイされる。ここで、１３０２と１４０２については、その表示を省略しても良い。
【００７１】
図１５は、本発明に係るコンテンツ情報のディスプレイ及び提供方法の一例であるアイコン拡大方法を説明するための図である。図１５に示すように、マルチメディアの形で分割されて表示されるイメージエリア１５０１で、あるコンテンツ情報の拡大アイコンを選択すれば、該当イメージが拡大されてディスプレイされる。このとき、イメージエリア１５０１における該当イメージの拡大は、上下キーによるイメージの活性化、あるいは選択キーによる選択により可能である。次いで、拡大されたイメージエリア１５０２で確認又はサービス呼出しキーを選択すれば、移動通信端末装置の画面ウィンドウには待ち画面メッセージを呼び出し中である旨のメッセージ１５０３が表示され、選択した情報に対応する詳細情報１５０４がディスプレイされる。
【産業上の利用可能性】
【００７２】
本発明に係る方法によれば、ユーザが受信を希望する個人の情報設定に合致する情報を移動通信端末装置に提供できることはもとより、頻繁に使う移動通信携帯端末の内部リソースをユーザが使い易いように、待ち画面にアイコンの形で、区画された画面で、スライド方式の画面で、又は明示的な選択によってリアルタイムにてディスプレイできる。さらに、サービスプロバイダにとっては、特定のチャンネルを特殊な用途のコンテンツ提供及び外部サービスプロバイダのサービス提供などの特定な用途に割り当てて管理できるため、様々なビジネスが推進可能になる。
【図面の簡単な説明】
【００７３】
【図１】本発明に係る移動通信網を用いた待ち画面サービスシステムを説明するための図である。
【図２】本発明に係る移動通信携帯端末と待ち画面制御システム間の構成を説明するための図である。
【図３】本発明に係る待ち画面制御サーバの構成を説明するための図である。
【図４】本発明に係る移動通信端末装置の構成を説明するための図である。
【図５】本発明に係る移動通信端末装置の待ち画面のディスプレイ方法を説明するための図である。
【図６】サービス段階別の情報処理構造を説明するためのフローチャートである。
【図７】本発明に係る移動通信端末装置の待ち画面テンプレートの実施例を説明するための図である。
【図８】本発明に係る移動通信端末装置の待ち画面テンプレートの他の実施例を説明するための図である。
【図９】本発明に係る移動通信端末装置の待ち画面テンプレートのさらに他の実施例を説明するための図である。
【図１０】本発明に係るコンテンツ情報を提供するために、サービスプロバイダ側で構成したチャンネル構成図の実施例を示す図である。
【図１１】マルチメディア形式で提供される分割画面のチャンネル化を示す実施例を示す図である。
【図１２】マルチメディア形式で提供される分割画面を選択することにより表示される一実施例を示す図である。
【図１３】本発明に係るコンテンツ情報のディスプレイ及び提供方法の一例であるスライド方法を説明するための図である。
【図１４】本発明に係るコンテンツ情報のディスプレイ及び提供方法の一例であるスライド方法を説明するための図である。
【図１５】本発明に係るコンテンツ情報のディスプレイ及び提供方法の一例であるアイコン拡大方法を説明するための図である。